【手続補正書】
【提出日】平成24年3月30日(2012.3.30)
【手続補正１】
【補正対象書類名】明細書
【補正対象項目名】０１０２
【補正方法】変更
【補正の内容】
【０１０２】
本発明は以下の内容を包含する。
（１）光学フィルムであって、
通過軸を有する反射偏光子と、
延伸ポリマーフィルムであって、最大延伸の方向におけるｘ軸、前記延伸ポリマーフィルムの面に対して垂直なｚ軸、並びに前記ｘ軸及び前記ｚ軸の両方に対して垂直なｙ軸を有する延伸ポリマーフィルムとを含み、前記延伸ポリマーフィルムは、前記反射偏光子にラミネートされ、
前記延伸ポリマーフィルムが、ｘ−ｚ面で前記ｚ軸に対して少なくとも約６０度の空気中の入射角で屈折率対称点を呈する、光学フィルム。
（２）前記延伸ポリマーフィルムが、モノリシックである、項目（１）に記載の光学フィルム。
（３）前記延伸ポリマーフィルムが、ポリエチレンテレフタレートを含む、項目（１）に記載の光学フィルム。
（４）前記延伸ポリマーフィルムの前記ｙ軸と前記反射偏光子の前記通過軸との間の角度が、約１０度未満である、項目（１）に記載の光学フィルム。
（５）前記延伸ポリマーフィルムが光学層と前記反射偏光子との間にあるように、前記延伸ポリマーフィルムに近接して配置される前記光学層を更に含む、項目（１）に記載の光学フィルム。
（６）前記光学層が、拡散性である、項目（５）に記載の光学フィルム。
（７）前記光学層が、複数の屈折素子を含む、項目（５）に記載の光学フィルム。
（８）前記複数の屈折素子が、ビーズを含む、項目（７）に記載の光学フィルム。
（９）前記複数の屈折素子が、細長いプリズムを含む、項目（７）に記載の光学フィルム。
（１０）前記延伸ポリマーフィルム及び前記反射偏光子が、接着剤と共にラミネートされる、項目（１）に記載の光学フィルム。
（１１）光学フィルムであって、
通過軸を有する反射偏光子と、
延伸ポリマーフィルムであって、最大延伸の方向におけるｘ軸、前記延伸ポリマーフィルムの面に対して垂直なｚ軸、並びに前記ｘ軸及び前記ｚ軸の両方に対して垂直なｙ軸を有する延伸ポリマーフィルムとを含み、前記延伸ポリマーフィルムは、前記反射偏光子に取り付けられ、
前記延伸ポリマーフィルムは、ｘ−ｚ面で前記ｚ軸に対して少なくとも約６０度の空気中の入射角で屈折率対称点を呈し、更に前記延伸ポリマーフィルムは、前記反射偏光子内に存在しないポリマー材料を含む、光学フィルム。
（１２）光学フィルムであって、
第１及び第２主表面を有する反射偏光子と、
前記反射偏光子の前記第１主表面に、第１接着層と共にラミネートされる第１延伸ポリマーフィルムと、
前記反射偏光子の前記第２主表面に、第２接着層と共にラミネートされる第２延伸ポリマーフィルムと、
光学層であって、前記第２延伸ポリマーフィルムが前記光学層と前記反射偏光子との間であるように、前記第２延伸ポリマーフィルムに近接して配置される光学層とを含み、
前記第１及び第２延伸ポリマーフィルムのそれぞれは、少なくとも約９０度の空気中の入射角で屈折率対称点を呈する、光学フィルム。
（１３）バックライトを含むディスプレイシステムであって、前記バックライトが、
照明装置と、
通過軸を有する反射偏光子と、
延伸ポリマーフィルムであって、最大延伸の方向におけるｘ軸、前記延伸ポリマーフィルムの面に対して垂直なｚ軸、並びに前記ｘ軸及び前記ｚ軸の両方に対して垂直なｙ軸を有する延伸ポリマーフィルムと、を含み、前記延伸ポリマーフィルムは、前記反射偏光子が前記照明装置と前記延伸ポリマーフィルムとの間にあるように配置され、
前記延伸ポリマーフィルムが、ｘ−ｚ面で前記ｚ軸に対して少なくとも約６０度の空気中の入射角で屈折率対称点を呈する、ディスプレイシステム。
（１４）二色性偏光子を更に含み、前記延伸ポリマーフィルムが前記反射偏光子と前記二色性偏光子との間に配置される、項目（１３）に記載のディスプレイシステム。
（１５）前記延伸ポリマーフィルムの前記ｙ軸と前記反射偏光子の前記通過軸との間の角度が約１０度未満である、項目（１３）に記載のディスプレイシステム。
（１６）前記延伸ポリマーフィルムが前記照明装置と液晶パネルとの間にあるように、配置された液晶パネルを更に含む、項目（１３）に記載のディスプレイシステム。
（１７）バックライトを含むディスプレイシステムであって、前記バックライトが、
偏光軸を有する偏光照明装置と、
延伸ポリマーフィルムであって、最大延伸の方向におけるｘ軸、前記延伸ポリマーフィルムの面に対して垂直なｚ軸、並びに前記ｘ軸及び前記ｚ軸の両方に対して垂直なｙ軸を有する延伸ポリマーフィルムと、を含み、前記延伸ポリマーフィルムが前記偏光照明装置からの偏光を受光するよう配置され、
前記延伸ポリマーフィルムが、ｘ−ｚ面で前記ｚ軸に対して少なくとも約６０度の空気中の入射角で屈折率対称点を呈する、ディスプレイシステム。
（１８）前記延伸ポリマーフィルムの前記ｙ軸と前記偏光照明装置の前記偏光軸との間の角度が、約１０度未満である、項目（１７）に記載のディスプレイシステム。
（１９）バックライトを含むディスプレイシステムであって、前記バックライトが、
照明装置と、
延伸ポリマーフィルムと、を含み
前記延伸ポリマーフィルムは、約５０度未満の空気中の入射角で、前記延伸ポリマーフィルムに入射する全光路に沿って、少なくとも３０００ｎｍの位相差を呈する、ディスプレイシステム。
（２０）延伸ポリマーフィルムを形成する工程を含む、光学フィルムの作製方法であって、前記延伸ポリマーフィルムを形成する工程が、
ポリエチレンテレフタレートのウェブを形成することと、
前記ウェブを、未延伸の長さ寸法の約１．０５〜１．３倍の第１の量だけ、長さ方向で延伸することと、
前記ウェブを、未延伸の横断寸法の約３〜７倍の第２の量だけ、横断方向で延伸することと、
前記ウェブをヒートセットすることと、
前記ウェブを横断方向で弛緩させることと、
前記横断方向で拘束せず、かつ前記長さ方向で最小伸張としたままで、前記ウェブを炉内で弛緩させることとを含む、光学フィルムの作製方法。
（２１）得られる延伸ポリマーフィルムが、少なくとも約９０度の空気中の入射角で屈折率対称点を呈する、項目（２０）に記載の方法。
（２２）前記得られる延伸ポリマーフィルムが、約５０度未満の空気中の入射角で、前記延伸ポリマーフィルムに入射する全光路に沿って、少なくとも３０００ｎｍの位相差を呈する、項目（２０）に記載の方法。
（２３）前記延伸ポリマーフィルム上に光学層を配置することを更に含む、項目（２０）に記載の方法。
（２４）前記延伸ポリマーフィルムを反射偏光子に取り付けることを更に含む、項目（２０）に記載の方法。
【手続補正２】
【補正対象書類名】特許請求の範囲
【補正対象項目名】全文
【補正方法】変更
【補正の内容】
【特許請求の範囲】
【請求項１】
光学フィルムであって、
通過軸を有する反射偏光子と、
延伸ポリマーフィルムであって、最大延伸の方向におけるｘ軸、前記延伸ポリマーフィルムの面に対して垂直なｚ軸、並びに前記ｘ軸及び前記ｚ軸の両方に対して垂直なｙ軸を有する延伸ポリマーフィルムとを含み、前記延伸ポリマーフィルムは、前記反射偏光子にラミネートされ、
前記延伸ポリマーフィルムが、ｘ−ｚ面で前記ｚ軸に対して少なくとも約６０度の空気中の入射角で屈折率対称点を呈する、光学フィルム。
【請求項２】
バックライトを含むディスプレイシステムであって、前記バックライトが、
照明装置と、
通過軸を有する反射偏光子と、
延伸ポリマーフィルムであって、最大延伸の方向におけるｘ軸、前記延伸ポリマーフィルムの面に対して垂直なｚ軸、並びに前記ｘ軸及び前記ｚ軸の両方に対して垂直なｙ軸を有する延伸ポリマーフィルムと、を含み、前記延伸ポリマーフィルムは、前記反射偏光子が前記照明装置と前記延伸ポリマーフィルムとの間にあるように配置され、
前記延伸ポリマーフィルムが、ｘ−ｚ面で前記ｚ軸に対して少なくとも約６０度の空気中の入射角で屈折率対称点を呈する、ディスプレイシステム。
【請求項３】
延伸ポリマーフィルムを形成する工程を含む、光学フィルムの作製方法であって、前記延伸ポリマーフィルムを形成する工程が、
ポリエチレンテレフタレートのウェブを形成することと、
前記ウェブを、未延伸の長さ寸法の約１．０５〜１．３倍の第１の量だけ、長さ方向で延伸することと、
前記ウェブを、未延伸の横断寸法の約３〜７倍の第２の量だけ、横断方向で延伸することと、
前記ウェブをヒートセットすることと、
前記ウェブを横断方向で弛緩させることと、
前記横断方向で拘束せず、かつ前記長さ方向で最小伸張としたままで、前記ウェブを炉内で弛緩させることとを含む、光学フィルムの作製方法。